【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
記録媒体ユニットと、
前記記録媒体ユニットとの干渉を回避する回避部が形成される第１の基板と、
前記記録媒体ユニットの上に配置される第２の基板と、
前記記録媒体ユニットと前記第１の基板と前記第２の基板とを収容するとともに、前記記録媒体ユニットを着脱可能な開口部を有する本体部とを備えることを特徴とする車載用電子装置。
【請求項２】
前記第１の基板には、ナビゲーションを行うナビゲーション部が少なくとも設けられ、
前記第２の基板には、音楽データを再生するオーディオ部と該オーディオ部によって再生された音楽データを前記記録媒体ユニットに収録する収録部とが少なくとも設けられることを特徴とする請求項１記載の車載用電子装置。
【請求項３】
前記第１の基板を冷却する第１のファンと、
前記第２の基板を冷却する第２のファンとを備えることを特徴とする請求項１または２記載の車載用電子装置。
【請求項４】
前記本体部とは別体の筐体に収容される表示部を備え、
前記本体部と前記表示部を収容する筐体とが結合することを特徴とすることを特徴とする請求項１〜３のいずれか１つに記載の車載用電子装置。
【請求項５】
前記本体部に対して挿排可能な表示部と、
車載用電子装置を操作する操作ボタンとを備え、
前記操作ボタンは、機能に応じて前記本体部と前記表示部とに振り分けて配置されることを特徴とする請求項１〜４のいずれか１つに記載の車載用電子装置。
【請求項６】
前記表示部には、前記本体部から排出された状態で必要となる操作の操作ボタンが配置されることを特徴とする請求項４または５記載の車載用電子装置。
【請求項７】
前記本体部に対して挿排可能な表示部と、
前記本体部に挿入される記録媒体に記録された情報を再生する再生部と、
前記再生部によって再生された情報を前記記録媒体に収録する収録部とを備え、
前記収録部は、前記表示部の挿排状態に関係なく情報の収録を実行可能であることを特徴とする請求項１〜６のいずれか１つに記載の車載用電子装置。
【請求項８】
前記本体部は、車両の１ＤＩＮ規格に適合することを特徴とする請求項１〜７のいずれか１つに記載の車載用電子装置。
【請求項９】
第１の記録媒体と第２の記録媒体とを挿排可能な電子装置本体と、
前記電子装置本体に着脱可能な操作部とを備え、
前記電子装置本体は、前記操作部を装着した状態で第１の記録媒体を挿排可能であり、前記操作部を離脱した状態で、第２の記録媒体を挿排可能であることを特徴とする車載用電子装置。
【請求項１０】
第１の記録媒体を挿排可能な挿排口と、第２の記録媒体を挿排可能な挿排口とを個別に有する電子装置本体と、
前記電子装置本体に着脱可能な操作部とを備え、
前記第１の記録媒体の挿排口は、前記操作部を装着した状態で露出するように前記電子装置本体に配置され、前記第２の記録媒体の挿排口は、前記操作部を離脱した状態で露出するように前記電子装置本体に配置されることを特徴とする車載用電子装置。
【請求項１１】
前記操作部は、前記第１の記録媒体の挿排口を有し、前記第２の記録媒体の挿排口を有しないことを特徴とする請求項９または１０記載の車載用電子装置。
【請求項１２】
前記操作部は、前記電子装置本体に装着された状態で前記電子装置本体に挿入された前記第２の記録媒体との干渉を防止する凹所を備えることを特徴とする請求項９〜１１のいずれか１つに記載の車載用電子装置。
【請求項１３】
前記第１の記録媒体は、光ディスクであり、
前記第２の記録媒体は、半導体メモリであることを特徴とする請求項９〜１２のいずれか１つに記載の車載用電子装置。
【請求項１４】
前記電子装置本体は、車両の１ＤＩＮ規格に適合することを特徴とする請求項９〜１３のいずれか１つに記載の車載用電子装置。
【請求項１５】
上部と下部とを有し、車両に搭載可能な１ＤＩＮ規格に適合した筐体と、
前記筐体の上部に収容される表示部と、
前記筐体の上部に収容され、前記表示部を前記筐体の外に排出する駆動部と、
前記筐体の下部に収容されるオーディオ基板と、
前記筐体の下部に収容されるナビゲーション基板と、
前記筐体の下部に収容され、前記ナビゲーション基板と前記オーディオ基板と通信可能な記録媒体と、
前記筐体の下部に収容され、コンパクトディスクを再生可能な再生部とを備えることを特徴とする車載用電子装置。
【請求項１６】
コンパクトディスク挿排口を有し、前記筐体に対して着脱可能な操作部を備えることを特徴とする請求項１５記載の車載用電子装置。
【請求項１７】
前記筐体は、前記操作部が離脱された状態で露出する半導体メモリの挿排口を備えることを特徴とする請求項１６記載の車載用電子装置。
【手続補正２】
【補正対象書類名】明細書
【補正対象項目名】発明の名称
【補正方法】変更
【補正の内容】
【発明の名称】車載用電子装置
【手続補正３】
【補正対象書類名】明細書
【補正対象項目名】０００１
【補正方法】変更
【補正の内容】
【０００１】
本発明は、車載用電子装置に関し、たとえばオーディオビジュアルナビゲーション装置などの車載機器に好適に適用される技術に関する。
【手続補正４】
【補正対象書類名】明細書
【補正対象項目名】０００６
【補正方法】変更
【補正の内容】
【０００６】
本発明の目的は、電子装置自体の盗難を簡単に防止することができる車載用電子装置を提供することである。
【手続補正５】
【補正対象書類名】明細書
【補正対象項目名】０００７
【補正方法】変更
【補正の内容】
【０００７】
本発明（１）は、記録媒体ユニットと、
前記記録媒体ユニットとの干渉を回避する回避部が形成される第１の基板と、
前記記録媒体ユニットの上に配置される第２の基板と、
前記記録媒体ユニットと前記第１の基板と前記第２の基板とを収容するとともに、前記記録媒体を着脱可能な開口部を有する本体部とを備えることを特徴とする車載用電子装置である。
【手続補正６】
【補正対象書類名】明細書
【補正対象項目名】０００８
【補正方法】変更
【補正の内容】
【０００８】
また本発明（９）は、第１の記録媒体と第２の記録媒体とを挿排可能な電子装置本体と、
前記電子装置本体に着脱可能な操作部とを備え、
前記電子装置本体は、前記操作部を装着した状態で第１の記録媒体を挿排可能であり、前記操作部を離脱した状態で、第２の記録媒体を挿排可能であることを特徴とする車載用電子装置である。
【手続補正７】
【補正対象書類名】明細書
【補正対象項目名】０００９
【補正方法】変更
【補正の内容】
【０００９】
また本発明（１０）は、第１の記録媒体を挿排可能な挿排口と、第２の記録媒体を挿排可能な挿排口とを個別に有する電子装置本体と、
前記電子装置本体に着脱可能な操作部とを備え、
前記第１の記録媒体の挿排口は、前記操作部を装着した状態で露出するように前記電子装置本体に配置され、前記第２の記録媒体の挿排口は、前記操作部を離脱した状態で露出するように前記電子装置本体に配置されることを特徴とする車載用電子装置である。
また本発明（１５）は、上部と下部とを有し、車両に搭載可能な１ＤＩＮ規格に適合した筐体と、
前記筐体の上部に収容される表示部と、
前記筐体の上部に収容され、前記表示部を前記筐体の外に排出する駆動部と、
前記筐体の下部に収容されるオーディオ基板と、
前記筐体の下部に収容されるナビゲーション基板と、
前記筐体の下部に収容され、前記ナビゲーション基板と前記オーディオ基板と通信可能な記録媒体と、
前記筐体の下部に収容され、コンパクトディスクを再生可能な再生部とを備えることを特徴とする車載用電子装置である。
【手続補正８】
【補正対象書類名】明細書
【補正対象項目名】００１０
【補正方法】変更
【補正の内容】
【００１０】
本発明（１）によれば、記録媒体ユニットと第１の基板と第２の基板とをできるだけ近接させた状態で本体部に収容するので、装置の薄型化を図ることができる。
【手続補正９】
【補正対象書類名】明細書
【補正対象項目名】００１１
【補正方法】変更
【補正の内容】
【００１１】
また本発明（９）によれば、第１の記録媒体は操作部を装着した状態で電子装置本体に挿排可能であり、第２の記録媒体は操作部を離脱した状態で電子装置本体に挿排可能であるので、操作部に第２の記録媒体のための新たな挿排口を設けることなく、電子装置本体に第２の記録媒体に記録された情報を再生する機能を搭載することができる。
【手続補正１０】
【補正対象書類名】明細書
【補正対象項目名】００１２
【補正方法】変更
【補正の内容】
【００１２】
また本発明（１０）によれば、第１の記録媒体は操作部を装着した状態で電子装置本体に挿排可能であり、第２の記録媒体は操作部を離脱した状態で電子装置本体に挿排可能であるので、操作部に第２の記録媒体のための新たな挿排口を設けることなく、電子装置本体に第２の記録媒体に記録される情報を再生する機能を搭載することができる。
また本発明（１５）によれば、車両に搭載可能な１ＤＩＮ規格に適合した筐体の上部に表示部と駆動部が収容され、該筐体の下部にオーディオ基板、ナビゲーション基板、記録媒体、および再生部が収容されるので、車両特有の１ＤＩＮ規格に適合したオーディオビジュアルナビゲーション装置を構成することができる。
【手続補正１１】
【補正対象書類名】明細書
【補正対象項目名】００１３
【補正方法】変更
【補正の内容】
【００１３】
図１は、本発明の実施形態に係る車載用電子装置１の斜視図である。図２は、車載用電子装置１のデタッチパネル部３を離脱した態様を表す斜視図である。図３は、車載用電子装置１の正面図である。図４は、車載用電子装置１のデタッチパネル部を離脱した態様を表す正面図である。図５は、車載用電子装置１の底面図である。図６は、ディスプレイを開いた態様を表す斜視図である。本実施形態に係る車載用電子装置（以下、単に電子装置と称する場合がある）１は、１ＤＩＮ規格のオーディオ・ビィジアル・ナビゲーション装置に適用される。前記電子装置１は、主に、電子装置本体２と、操作部としてのデタッチパネル部３と、表示部としてのディスプレイパネル部４とを有する。ここで電子装置本体２の奥行き方向をｙ方向と定義し、高さ方向をｚ方向と定義し、ｙおよびｚ方向に直交する方向をｘ方向と定義する。図において、これらｘ、ｙ、ｚ方向をそれぞれ矢符ｘ、ｙ、ｚで表記する。本実施形態に係る１ＤＩＮ規格の電子装置１のｘ、ｙ、ｚ方向寸法は、約１７０ｍｍ×１９０ｍｍ×４７ｍｍに規定されている。電子装置本体２は、本体部５と、ベースパネル部６とを備えている。
【手続補正１２】
【補正対象書類名】明細書
【補正対象項目名】００１４
【補正方法】変更
【補正の内容】
【００１４】
本体部５について説明する。図７は、車載用電子装置１の本体部５の要部を分解して表す斜視図である。図８は、車載用電子装置１の本体部５に設けられる基板等を分解して表す斜視図である。図１〜図６、図９も参照しつつ説明する。本体部５は、図７に示すように、筐体であるメインシャーシ７と、後シャーシ８と、放熱板であるヒートシンク９と、第１，第２ファン１０，１１と、ＤＣ／ＤＣコンバータ１２と、そのホルダ１３，１４（ＤＣ／ＤＣコンバータホルダ１３，１４と称す）と、記録媒体ユニットであるハードディスクドライブ１５（略称ＨＤＤ）と、そのホルダ１６（ＨＤＤホルダ１６と称す）とを有する。また本体部５は、図８に示すように、ナビゲーション基板１７（ナビ基板１７と称す）と、プリアウト基板１８と、エムシーエム基板（ＭＣＭ基板）２１と、ＤＣ／ＤＣコンバータ基板２０と、その他各種シールド板とを有する。
【手続補正１３】
【補正対象書類名】明細書
【補正対象項目名】００１５
【補正方法】変更
【補正の内容】
【００１５】
メインシャーシ７のｘ方向一側縁部には、ｙｚ平面に沿ってヒートシンク９が立設され、メインシャーシ７のｙ方向一側縁部には、ｘｚ平面に沿って後シャーシ８が立設されている。この後シャーシ８のｘ方向一端部に、主にＭＣＭ基板２１およびＤＣ／ＤＣコンバータ基板２０を冷却排気するための第１ファン１０が装備され、後シャーシ８のｘ方向他端部に、主にナビ基板１７を冷却排気するための第２ファン１１が装備されている。第１および第２ファン１０，１１をダブルファンという場合がある。本実施の形態では、前記ダブルファンを、発熱量の多いＨＤＤ１５、ＣＰＵ（Central Processing Unit）、電力増幅器に対向する位置に配設することで、放熱効果を高めることが可能となる。また図示外のデジタル回路部でデジタルノイズの発生源であるＣＰＵと、後述するチューナーとを離隔して配設することで、ノイズの影響を極力受けないようにすることができる。
【手続補正１４】
【補正対象書類名】明細書
【補正対象項目名】００１６
【補正方法】変更
【補正の内容】
【００１６】
メインシャーシ７のうちｘ方向一端部つまりヒートシンク９付近部には、ＤＣ／ＤＣコンバータ１２がＤＣ／ＤＣコンバータホルダ１３，１４を介して保持されている。図５および図７に示すように、メインシャーシ７には、ＨＤＤ１５を格納するための孔部７ａが形成されている。たとえば仕向地毎に異なる情報が記録されたＨＤＤ１５およびＨＤＤホルダ１６を、前記孔部７ａを通して当該電子装置１の底面部に格納可能に構成されている。またＨＤＤクラッシュ、寿命前の交換および大容量タイプへの換装などの少なくともいずれか一つを目的として、ＨＤＤ１５およびＨＤＤホルダ１６を、前記孔部７ａを通して換装可能になっている。
【手続補正１５】
【補正対象書類名】明細書
【補正対象項目名】００２０
【補正方法】変更
【補正の内容】
【００２０】
ベースパネル部６は、デタッチパネル部３を着脱可能にするためのものであり、メインシャーシ７のｙ方向一側縁部にｘｚ平面に沿って設けられる。ベースパネル部６は、パネル本体２３と、第１ロック機構２４と、第２ロック機構２５と、押圧手段としての板ばね２２とを有する。パネル本体２３は、正面壁部２３ａ、一側壁部２３ｂ、他側壁部２３ｃおよび底壁部２３ｄを含み、これらは合成樹脂などによって一体成形されている。正面壁部２３ａはｘｚ平面に沿って形成され、一側および他側壁部２３ｂ，２３ｃはｘｙ平面に沿って形成される。一側壁部２３ｂは正面壁部２３ａの長手方向一端部に付設され、他側壁部２３ｃは正面壁部２３ａの長手方向他端部に付設されている。正面壁部２３ａには、記録手段であるメモリースティックの挿排口であるスロット２６が形成されている。一側および他側壁部２３ｂ，２３ｃは同一構成であるので、一側壁部２３ｂについてだけ説明し、他側壁部２３ｃについては一側壁部２３ｂに付した符号と同一の符号を付してその説明を省略する。
【手続補正１６】
【補正対象書類名】明細書
【補正対象項目名】００２８
【補正方法】変更
【補正の内容】
【００２８】
デタッチパネル部３について説明する。デタッチパネル部３は、デタッチ前部アセンブリ５３（前面部５３）、デタッチ後部アセンブリ５４（裏面部５４）、パネル基板５５、導光板ケース５６、スペーサ５７、ＬＣＤ（Liquid Crystal Display）導光板５８、ＬＣＤ拡散板５９、ＬＣＤを含むディスプレイユニット６０、ＬＣＤホルダ６１、ボタン類６２、ノブ６３、押圧機構３６および係合部材４５を有する。デタッチ前部アセンブリ５３とデタッチ後部アセンブリ５４とが複数のビスによって固着され、その他の部品がデタッチ前部アセンブリ５３とデタッチ後部アセンブリ５４とが複数のビスによって固着された構成に保持される。デタッチ前部アセンブリ５３には、第１の記録媒体であるコンパクトディスク（ＣＤ）などの光ディスクが挿排可能な挿排口５３ａが設けられ、該挿排口５３ａを介して、光ディスクが電子装置本体２に設けられる光ディスク用挿排口から挿排可能である。すなわち、デタッチパネルユニット３の挿排口５３ａから、電子装置本体２の光ディスク用挿排口が露出する。
【手続補正１７】
【補正対象書類名】明細書
【補正対象項目名】００２９
【補正方法】変更
【補正の内容】
【００２９】
前記押圧機構３６は、第１ロック機構２４をロック解除する機構であって、リリースボタン６４と圧縮コイルばね６５とを備えている。リリースボタン６４はｙ方向に所定小距離延びる軸部材であり、基端部６４ａ、フランジ部６４ｂおよび先端部６４ｃを含む。基端部６４ａは、手指などで操作可能にデタッチ前部アセンブリ５３よりもややｙ方向に突出するように配設されている。フランジ部６４ｂから先端部６４ｃにわたって圧縮コイルばね６５が外装され、その付勢力で基端部６４ａを前記ｙ方向に弾性付勢する。先端部６４ｃには、ｚ方向一方に向かうに従ってｙ方向一方に傾斜するテーパ部分を備えている。ユーザが、圧縮コイルばね６５の付勢力に抗して基端部６４ａを押圧すると、前記テーパ部分が、第１ロック機構２４の同じくテーパ形状を成す先端部６４ｃに当接した状態で、可動ホルダをｚ方向に移動させる。よって第１ロック機構２４を解除し得るようになっている。
【手続補正１８】
【補正対象書類名】明細書
【補正対象項目名】００３０
【補正方法】変更
【補正の内容】
【００３０】
デタッチ後部アセンブリ５４には、係合部材４５、パネル基板５５の接続端子５５ａを露出するための開口部５４ａ、メモリースティック（略称ＭＳ）との干渉を防止するためのＭＳ凹所５４ｂなどが形成されている。デタッチ後部アセンブリ５４の長手方向一端部には、ｚ方向一方および他方に離隔して係合部材４５が付設されるうえ、これら係合部材４５間に、ロックピン収容部材４１の外周面部を部分的に保持する凹所５４ｃが形成されている。各係合部材４５は、ｙ方向にやや突出して形成されるとともに、係合ピン４２ａ，４３ａを係合可能な被係合部４５ａが形成されている。
【手続補正１９】
【補正対象書類名】明細書
【補正対象項目名】００３１
【補正方法】変更
【補正の内容】
【００３１】
ディスプレイパネル部４について説明する。図２１も参照しつつ説明する。ディスプレイパネル部４は、別体の筐体であるパネルシャーシ６６、チルトメカ機構６７、スライド機構６８、ギヤ機構６９，７０、駆動源７１，７２、ＴＦＴ（Thin Film Transistor)、ＴＦＴホルダおよびディスプレイ基板を有する。チルトメカ機構６７と、スライド機構６８と、ギヤ機構６９，７０と、駆動源７１，７２とでモニタ駆動部７３が構成される。前記パネルシャーシ６６はｚ方向に見て矩形状に形成され、このパネルシャーシ６６に、これら構成部品が支持されている。パネルシャーシ６６には、チルトメカ機構６７を駆動するためのチルト用のギヤ機構６９およびチルト用の駆動源７１、スライド機構６８を駆動するためのスライド用のギヤ機構７０およびスライド用の駆動源７２が設けられている。チルト用のギヤ機構６９およびチルト用の駆動源７１によって、ＴＦＴ、ＴＦＴホルダおよびディスプレイ基板（これらをＴＦＴ等７４と称す）が、ｘ方向軸線まわりに揺動駆動可能に構成される。スライド用のギヤ機構７０およびスライド用の駆動源７２によって、ＴＦＴ等７４がパネルシャーシ６６に対しｙ方向に沿って移動駆動可能に構成される。
【手続補正２０】
【補正対象書類名】明細書
【補正対象項目名】００３４
【補正方法】変更
【補正の内容】
【００３４】
本実施形態に係る車載用電子装置１の電気的構成について説明する。図２１は、車載用電子装置１の電気的構成を示すブロック図である。車載用電子装置１は、前記ＣＰＵとＲＯＭ（Read Only Memory)とＲＡＭ（Random Access Memory）とバスと入出力インタフェースとを備えるマイクロコンピュータ７７（マイコン７７と称す）、車速センサ７８、ジャイロセンサ７９、ＧＰＳ（Global Positioning System）受信機８０、再生部であるＣＤ（Compact Disk）ドライブ８１、ＨＤＤ８２、通信手段８３、オーディオ信号処理部８４、スピーカ８５、描画処理部８６、操作部としてのデタッチパネル部８７、モニタ駆動部７３およびＴＦＴ等７４を含んで構成される。前記入出力インタフェースには、車速センサ７８、ジャイロセンサ７９、ＧＰＳ受信機８０、ＣＤドライブ８１、ＨＤＤ８２、通信手段８３、オーディオ信号処理部８４、描画処理部８６、ＴＦＴ等７４、デタッチパネル部８７、モニタ駆動部７３がそれぞれ電気的に接続されている。
【手続補正２１】
【補正対象書類名】明細書
【補正対象項目名】００３７
【補正方法】変更
【補正の内容】
【００３７】
図２３は、録音停止処理を実行するフローチャートである。本録音停止処理を実行するためのプログラムは、たとえばマイコン７７のＲＯＭに格納され、前記ＣＰＵによって制御される。電子装置１の電源が投入されている状態でイジェクト操作（いわゆる排出操作）を行うと、本処理を開始する。先ずステップｂ１に移行して、録音中であるか否かを判断する。「否」との判断でステップｂ２に移行して排出操作を行い、その後本処理を終了する。ステップｂ１で録音中であると判断すると、ステップｂ３に移行して録音停止表示を行う。
【手続補正２２】
【補正対象書類名】明細書
【補正対象項目名】００４４
【補正方法】変更
【補正の内容】
【００４４】
車両８８のインストルメントパネルに設けられるスペースは通常、２ＤＩＮサイズ、または１ＤＩＮサイズで、ユーザの好みに応じてそのスペースに応じて機器が設置される。たとえば、２ＤＩＮサイズのスペースの場合、２ＤＩＮサイズの電子機器が１台、１ＤＩＮサイズの電子機器が２台、１ＤＩＮサイズの電子機器と１ＤＩＮサイズの小物入れ等が設置される。
【手続補正２３】
【補正対象書類名】明細書
【補正対象項目名】００４５
【補正方法】変更
【補正の内容】
【００４５】
図２４に示した例は、２ＤＩＮサイズのスペースに対して、上部に本実施形態に係る１ＤＩＮサイズの車載用電子装置１を、下部に１ＤＩＮサイズの小物入れ８９を設置したもので、ディスプレイパネル部４の開時には、該ディスプレイパネル部４がスペース上側に開き、２ＤＩＮサイズのスペースの下部に配置される機器（本例では小物入れであるが、無線機等の電子機器等の場合もある）の操作の邪魔にならないようになっている。
【手続補正２４】
【補正対象書類名】明細書
【補正対象項目名】００４７
【補正方法】変更
【補正の内容】
【００４７】
【図１】本発明の実施形態に係る車載用電子装置１の斜視図である。
【図２】車載用電子装置１のデタッチパネル部３を離脱した態様を表す斜視図である。
【図３】車載用電子装置１の正面図である。
【図４】車載用電子装置１のデタッチパネル部３を離脱した態様を表す正面図である。
【図５】車載用電子装置１の底面図である。
【図６】ディスプレイを開いた態様を表す斜視図である。
【図７】車載用電子装置１の本体部５の要部を分解して表す斜視図である。
【図８】車載用電子装置１の本体部５に設けられる基板等を分解して表す斜視図である。
【図９】ベースパネル部６と、デタッチパネル部３との関係を表す斜視図である。
【図１０】ベースパネル部６を分解して表す斜視図である。
【図１１】ベースパネル部６を示し、図１１（ａ）はベースパネル部６の平面図、図１１（ｂ）はベースパネル部６の正面図、図１１（ｃ）はベースパネル部６の背面図である。
【図１２】図１１（ｂ）のＸ−Ｘ断面図である。
【図１３】図１１（ｂ）のＺ−Ｚ断面図である。
【図１４】図１２の詳細Ａ部を拡大して表す断面図である。
【図１５】図１３の詳細Ｂ部を拡大して表す断面図である。
【図１６】板ばね２２の固着状態を拡大して表す断面図である。
【図１７】デタッチパネル部３の要部を分解して表す斜視図である。
【図１８】デタッチパネル部３の前面部５３を示し、図１８（ａ）は前面部５３の背面図、図１８（ｂ）は前面部５３の平面図、図１８（ｃ）は前面部５３の正面図である。
【図１９】デタッチパネル部３の裏面部を表す斜視図である。
【図２０】デタッチパネル部３の裏面部を示し、図２０（ａ）は裏面部の正面図、図２０（ｂ）は裏面部の平面図、図２０（ｃ）は裏面部の背面図である。
【手続補正２５】
【補正対象書類名】明細書
【補正対象項目名】００４８
【補正方法】変更
【補正の内容】
【００４８】
【図２１】車載用電子装置１の電気的構成を示すブロック図である。
【図２２】ＣＤ録音処理を実行するためのフローチャートである。
【図２３】録音停止処理を実行するフローチャートである。
【図２４】車載用電子装置１を車両に搭載した状態を示す図で、図２４（ａ）はディスプレイパネル部４が格納された状態、図２４（ｂ）はディスプレイパネル部４が開いた状態を示す図である。
【手続補正２６】
【補正対象書類名】明細書
【補正対象項目名】００４９
【補正方法】変更
【補正の内容】
【００４９】
１  車載用電子装置
２  電子装置本体
３  デタッチパネル部
４  ディスプレイパネル部
５  本体部
６  ベースパネル部
２２  板ばね
２４  第１ロック機構
２５  第２ロック機構